Podtech/llm-jp-corpus-v4-ja_patent huggingface dataset:
(57)【要約】      （修正有）【課題】シンクを設けたいとき、台等があればどこでも設置できる脱着式簡易シンクを提供する。【解決手段】シンク本体１の右、左の奥行き方向に設けたフランジ部２に、支持台への固定金具を一体化したステー３を取り付ける。これにより、構造が簡単で、軽量、コンパクトで持ち運びが容易な上に、支持台への取り付けも簡単な着脱式シンクが形成される。【選択図】図１
2010127067.tif 000002
【特許請求の範囲】
【請求項１】
従来シンクは本体、幕板、脚、すのこなどを組み合わせて一つの製品になっています。しかしこれを別の場所で使用したいと思っても大きくて重く移動が困難な欠点がありました。
そこで本来のシンク機能だけを優先して無駄なものをはぶきシンク本体と固定金具付ステーだけのものとし軽量化、コンパクト化を実現し持ち運びも容易になり取り付けも簡単にした脱着式簡易シンク。
【発明の詳細な説明】
【技術分野】
【０００１】  この発明は台等に設置できるシンクに関するものである。
【背景技術】
【０００２】  従来、シンクは設定された場所にのみ設置するものである。
【発明の開示】
【発明が解決しようとする課題】
【０００３】  これは次のような欠点があった。
（イ）シンク本体と付属する幕板、脚等で重い。
（ロ）移動が困難
（ハ）構造が複雑
本発明は、以上のような欠点をなくすためにされたものである。
【課題を解決するための手段】
【０００４】  シンク本体（１）の右、左奥行き方向に（２）固定金具付ステー（３）を取り付け、台等に固定する。
本発明は、以上の構成による脱着式簡易シンクである。
【発明の効果】
【０００５】  本来のシンクの機能を優先して無駄な脚、幕板、すのこ等をなくし軽量化とコンパクト化により持ち運びも容易になり取り付けも簡単。
【発明を実施するための最良の形状】
【０００６】  以上、本発明を実行するための最良の形状について説明する。
シンク本体（１）の右、左奥行き方向に折り又はステー（２）ですき間をもうけて固定金具付ステー（３）を差込み設置する台等（４）に固定する。
本発明は、以上のような構造である。
これを使用するときは設置したい台等に取り付け使用する。
【図面の簡単な説明】
【０００７】
【図１】本発明の斜視図である。
【図２】本発明のステー部分の詳細図である。
【符号の説明】
【０００８】  １  シンク本体
２  シンク左右の折り返し
３  固定金具付ステー
４  シンクを取り付ける台等
【図１】
2010127067.tif 000003
【図２】
2010127067.tif 000004
(57)【要約】      （修正有）【課題】強風からの窓ガラスを保護する装置に関するものである。ネットを用いて簡単で効果的な窓ガラスの防風装置を開発することにより、強風被害の軽減に寄与する。【解決手段】フレーム２は中央部が高くなっており、窓ガラス１から離れた構造とする。これはこのような三角形を取り入れた構造とすることによりフレーム強度の向上を図るとともに、強風が吹き付けた場合傾斜した面に作用するために風力係数が小さくなり風圧も軽減される。フレーム２に目合いが１ｍｍ以下のネット３を被覆する。ネットを張ることにより、強風が直接窓に作用することがなくなり、特に窓の中央部ではネットからの距離が離れているために風圧の作用が大きく緩和される。なお、ネットは強風で剥がれないようにフレーム１にしっかり固定する。【選択図】図１
2010127063.tif 000002
【特許請求の範囲】
【請求項１】
窓の外に設置して中央部が突き出た形状のフレームにネットを展張した装置
【発明の詳細な説明】
【産業上の利用分野】
【０００１】  この発明は、窓ガラス等の破損を防ぐための防風装置に関するものである。近年、地球温暖化の影響により台風等の強風被害が増加し、窓ガラスの破損の被害も多くなってきている。窓ガラスの強風被害からの回避方法としては、窓用シャッターの取り付けや窓ガラスを強化ガラス等に強化する方法等があるが、テープを窓に貼る程度となっている家も多い。これは窓を破損するような強風がめったに襲来しないことにあるが、防風装置として効果的で簡易なものがないことにもよる。そこで、窓の外に簡単に取り付けられて、効果的に強風を弱める防風装置を開発することにより、普及が容易となり強風被害の軽減に寄与する。
【背景技術】
【０００２】  従来、窓ガラスの強風対策としては、窓用のシャッターの設置や強化ガラスの利用などがある。窓用シャッターの設置は最も一般的であるが、窓用シャッターは一般的に壁に平行に取り付けられており、強風が窓用シャッターに吹き付ける場合の風力係数は０．８となり、強度を高めしかもコンパクトな構造が要求され設置コストもある程度必要である。また、強化ガラスによる方法はガラスそのものの強度を向上させるものであり、窓の数が多い場合には設置コストがかなりかかり普及があまり進んでいないのが現状である。
【発明が解決しようとする課題】
【０００３】  このような状況であるため、より簡単な方法で強風を低減する防風装置が強く望まれていた。
【課題を解決するための手段】
【０００４】  いま、その構成を図１により説明すると、
（イ）フレーム２は中央部が高くなっており、窓ガラス１から離れた構造となっている。これはこのような三角形を取り入れた構造とすることによりフレーム強度の向上を図るとともに、強風が吹き付けた場合傾斜した面に作用するために風力係数が小さくなり風圧も軽減される。
（ロ）フレーム２に目合いが１ｍｍ以下のネット３を被覆する。ネットを張ることにより、強風が直接窓に作用することがなくなり、特に窓の中央部ではネットからの距離が離れているために風圧の作用が大きく緩和される。なお、ネットは強風で剥がれないようにフレーム１に確実に固定する。
以上のように装置する。
【作用】
【０００５】  次に本発明の作用を述べる。
強風による風圧は受ける面の傾斜角度により異なり、面の傾斜角度をθとすると、風圧を受ける度合いを示す風力係数は
１．３ｓｉｎθー０．５
となる。したがって、θ＝４５°の場合、風力係数は０．６となり、垂直に受けた場合の風力係数が０．８であるため、７５％に軽減されることになる。このように、フレーム２を傾斜させて強風を受けることで風圧をかなり回避することができる。
また、ネット３をフレーム２に展張することにより、ネット２は一般のフィルムに比較してバタツキが少なく、しかもネットからの距離が遠くなるにつれて風圧の作用が軽減することが知られている。窓ガラス１で風圧に最も弱い部分は中央部であるため、その部分をなるべくネット３から離れた構造とすることでさらにガラスを保護する作用を強化している。
【実験例】
【０００６】  窓ガラスにこのような防風装置を取り付けて実験を行ったが、強風の場合もガラスへの風圧はかなり軽減され、強風が吹いた場合の窓ガラスの受けるショックがかなり緩和された。ネットの目合いについては、目合いが小さくなるほど風圧の軽減効果は高くなるが、あまり小さくすると普段の換気が悪くなるので、強風の軽減効果と換気性を考慮すれば、０．８ｍｍ程度が良い。
【発明の効果】
【０００７】  地球温暖化の影響は地球環境に深刻な影響を与えており、家屋の補強が重要となってきている。このような中で、なるべく低コストで簡単に設置できて、しかも効果の高い窓用の防風装置は社会的な要請に応えるものである。
本防風装置は強風対策として有効であるだけでなく、窓ガラスから離れていて窓ガラス全体を覆っているために、防犯や飛散物から窓を保護するためにも有効である。さらに、窓ガラスからの熱散逸の低減作用があり、部屋の保温性も向上する。
【図面の簡単な説明】
【図１】    本発明による防風装置
【符号の説明】
１は窓ガラス
２はフレーム
３はネット
【図１】
2010127063.tif 000003
(57)【要約】【課題】  従来はロープやリングチェーンの長尺物に、１メートル単位ごとの一定間隔に印を設けていなかった。計り売りで売買する場合、その都度、定規等で計測して売買する作業の手間を省略し、計測時に起こる計測間違いの防止を可能にする。【解決手段】  ロープ（１）やリングチェーン（２）の長尺物自体に、１メートル単位ごとの一定間隔に、一瞥にして明確に判断でき切断しても両方の側の切口に印が確認できる形状の印（３）を設けた。【選択図】図１
2010127752.tif 000002
【特許請求の範囲】
【請求項１】
計り売りを対象とする長尺物に、１メートル単位ごとの一定間隔をもって、その位置を一瞥にして明確に判別できる形状の印を設け、その印の中央部を一瞥にして明確に判別でき、その印の中央部を切断しても両方の側の切口にも一瞥にして明確に判別できる印が残りえる機能を持つ形状の印を設ける、一定間隔に印を付けた長尺物。
【発明の詳細な説明】
【技術分野】
【０００１】
この発明は、小売店等でロープやリングチェーンの長尺物をメートル単位の計り売りで購入する際に、その都度、店員の人に定規等で長さを計測してもらって購入する手間を省くために、最初から長尺物自体で長さを計れることが出来るよう、１メートル単位ごとの一定間隔をもって、その位置を一瞥にして明確に判断できる印を設けた、ロープやリングチェーンの長尺物に関するものである。
【背景技術】
【０００２】
従来、ロープやリングチェーンの長尺物自体に、メートル単位ごとの一定間隔をもって印は設けられていなかった。
【発明の開示】
【発明が解決しようとする課題】
【０００３】
小売店等で、ロープやリングチェーンの長尺物の計り売りをする単位はメートルが多い、しかし購入する際、その都度、店員の人に定規等で長さを測定してもらって購入していた、しかし店内が混雑している時や、店員の人が近くにいない時などであっても、店員の人に計測してもらってから購入する手順であり、時間がかかり面倒であった、また店側の方にも手間隙のかかる作業であった。
【課題を解決するための手段】
【０００４】
ロープやリングチェーンの長尺物自体にインク等の塗料を用いて、１メートル単位ごとの一定間隔に印を設ける。
【０００５】
その印の形状や色や大小のサイズについての特定の定めは必要ないが、印の中央部を一瞥にして明確に判別でき、切断した印の両方の切口部分においても一瞥にして明確に判別できる印を設ける。
【発明の効果】
【０００６】
ロープやリングチェーンの長尺物自体に、１メートル単位ごとの一定間隔に印を設けているので、購入する際における物差しなどを使用して計測する手間が省かれる。
【０００７】
ロープやリングチェーンの長尺物を、物差しなどを使用して計測するとロープやリングチェーンの長尺物はだぶつたりして計測するのに手間隙がかかり、正確に計測するのは難しく誤差が発生していた、これでは客を待たせることなく素早く正確に売買の対応できているとはいえない、しかしロープやリングチェーンの長尺物自体に、１メートル単位ごとの一定間隔に、一瞥にして明確に判断できる印を設けていると、計測することなく、誤差も発生せず、客を待たせることなく素早く正確に売買の対応が可能となる。
【発明を実施するための最良の形態】
【０００８】
本発明の実施例について説明する。
ロープやリングチェーンの長尺物自体にインク等の塗料を用いて、１メートル単位ごとの一定間隔に印を設ける。
【０００９】
その印の形状や色や大小のサイズについて特定の定めの必要はないが、例として┼や＊や‖等のように、印の真中である中央の位置が一瞥にして判別でき、その中央の部分を切断することで左右の切口に印が残りえる形状の印を設けた、ロープやリングチェーンの長尺物である。
【００１０】
本発明は、以上のような構造でこれを使用するときは、印の個数を数えることにより長さを計測し、必要な長さのところでの印を切断すればいい。
【図面の簡単な説明】
【００１１】
【図１】ロープ本体に１メートル単位ごとの間隔に印を設けた斜視図である。
【図２】リングチェーン本体に１メートル単位ごとの間隔に印を設けた斜視図である。
【符号の説明】
【００１２】
１、ロープ
２、リングチェーン
３、１メートル単位の間隔に設けた印
【図１】
2010127752.tif 000003
【図２】
2010127752.tif 000004
(57)【要約】      （修正有）【課題】風の力と太陽の光を併用した太陽光風力発電。【解決手段】太陽の光を利用してパネル４６をプロペラの上部に取り付けた風の力と太陽の光を併用した太陽光風力発電機です。太陽の光が当たれば発電となり、風が吹けば発電となります。又光と風があれば両方のエネルギーを受け発電機となります。【選択図】図４
2010127274.tif 000002
【特許請求の範囲】
【請求項１】
風力発電機本体に太陽光発電機のパネルを組み込むことにより発電機全体が小型化になり製造価格が安くなります。又台風時にはプロペラ全体格納方式により太陽光発電と風力発電機の保護になります。
【発明の詳細な説明】
【作用】
風がふくとプロペラ１６枚全体に風をふくみプロペラの軸▲２７▼よりプロペラの立柱▲３２▼へ力がつたわります。プロペラの立柱▲３２▼は、１セット４枚のプロペラが取り付いています。合計４セット１６枚のプロペラが取り付いています。又それぞれのプロペラの下部には、プロペラの補助風受板▲２６▼が風をより多く受けるようになっています。風を多く受ける時はプロペラに対し水直位置になります。プロペラは合計１６枚と、プロペラの補助風受板は合計１２枚あります。次に上部プロペラ折りたたみアーム▲１９▼に力がつたわり、それが回転力となります。又台風時などはプロペラ折りたたみ油圧シリンダー▲３▼▲７▼▲１２▼▲１６▼へ油圧パッケージ▲３９▼より油圧を送り、プロペラ折りたたみ油圧シリンダーのロッドを伸縮することにより、プロペラ４枚セットを４組動かします。（図２）です。台風が過ぎると、元の状態にもどります。（図３）です。又プロペラ１枚にそれぞれ太陽光発電のパネル▲４６▼▲４７▼▲４８▼が合計１６枚あります。風が吹かずプロペラがまわらない時でも、太陽光発電により、発電機へ電気をためます。又プロペラの補助風受板は水直、水平と動きます。角度としては最大で９０度ぐらいの動き角度となります。プロペラの補助風受板は上下間のプロペラのけいしゃ面に当たり逆方向には開かないようになっています。
【図面の簡単な説明】
【図１】上面図  各部の符号図
【図２】側面図  台風時などに図１の油圧シリンダーのロッドが縮むとプロペラ全体１６セットが風を受けて損傷になりぬくいように折りたたんだ状態
【図３】側面図  プロペラ全体が風を受けて左回転にまわっている状態
【図４】側面図  各部の符号図
【図５】側面図  プロペラ全体が風を受けて左回転にまわり、プロペラの補助風受板が水平位置になったり水直位置になったり可動している状態
【図６】側面図  プロペラの補助風受板３枚が水直になりより多くの風を受けている状態
【符号の説明】
▲１▼油圧シリンダー取付台▲２▼油圧シリンダー取付ピン▲３▼プロペラ折りたたみ油圧シリンダー▲４▼プロペラ折りたたみ油圧シリンダーのロッド▲５▼油圧シリンダーのロッド取付ピン▲６▼油圧シリンダー取付ピン▲７▼プロペラ折りたたみ油圧シリンダー▲８▼プロペラ折りたたみ油圧シリンダーのロッド▲９▼油圧シリンダーのロッド取付ピン▲１０▼油圧シリンダーのロッド取付ピン▲１１▼プロペラ折りたたみ油圧シリンダーのロッド▲１２▼プロペラ折りたたみ油圧シリンダー▲１３▼油圧シリンダー取付ピン▲１４▼油圧シリンダー取付台▲１５▼油圧シリンダー取付ピン▲１６▼プロペラ折りたたみ油圧シリンダー▲１７▼プロペラ折りたたみ油圧シリンダーのロッド▲１８▼油圧シリンダーのロッド取付ピン▲１９▼上部プロペラ折りたたみアーム▲２０▼上部プロペラ折りたたみアーム▲２１▼上部プロペラ折りたたみアーム▲２２▼上部プロペラ折りたたみアーム▲２３▼プロペラ全体の立柱取付台▲２４▼プロペラ全体の回転台▲２５▼プロペラ▲２６▼プロペラの補助風受板▲２７▼プロペラの軸▲２８▼下部プロペラ折りたたみアーム▲２９▼下部プロペラ折りたたみアーム▲３０▼下部プロペラ折りたたみアーム▲３１▼下部プロペラ折りたたみアーム▲３２▼プロペラの立柱▲３３▼プロペラの立柱▲３４▼プロペラの立柱▲３５▼プロペラの立柱▲３６▼プロペラ全体の立柱ベアリング▲３７▼プロペラ全体の立柱▲３８▼発電機▲３９▼油圧パッケージ▲４０▼プロペラの補助風受板のちょう板▲４１▼プロペラの補助風受板のちょう板▲４２▼プロペラの補助風受板のちょう板▲４３▼プロペラの補助風受板のちょう板▲４４▼プロペラの補助風受板のちょう板▲４５▼プロペラの補助風受板のちょう板▲４６▼太陽光発電のパネル▲４７▼太陽光発電のパネル▲４８▼太陽光発電のパネル
【図１】
2010127274.tif 000003
【図２】
2010127274.tif 000004
【図３】
2010127274.tif 000005
【図４】
2010127274.tif 000006
【図５】
2010127274.tif 000007
【図６】
2010127274.tif 000008
(57)【要約】【課題】同一の化合物に由来するピークを選定し、その保持時間を補正することによって行うクロマトグラムピークアラインメントのための簡便な時間補正法を提供する。【解決手段】情報処理装置は、同一の化合物に由来するピークを選定し、その保持時間を補正するピークアラインメントのための情報処理装置であって、ピーク毎に求めた保持時間の変動を高次関数で近似して、保持時間を補正する。【選択図】図６
2010127803.tif 000002
【特許請求の範囲】
【請求項１】
同一の化合物に由来するピークを選定し、その保持時間を補正するピークアラインメントのための情報処理装置であって、
ピーク毎に求めた保持時間の変動を高次関数で近似して、保持時間を補正することを特徴とする情報処理装置。
【請求項２】
請求項１に記載の情報処理装置を動作させるための情報処理プログラム。
【発明の詳細な説明】
【技術分野】
【０００１】
本発明は、クロマトピークアラインメントのための簡便な時間補正を可能とした情報処理装置及び情報処理プログラムに関する。
【背景技術】
【０００２】
近年、システムズバイオロジーやメタボローム解析などの研究の発展に伴い、種々のサンプルを分析して得たクロマトグラムやスペクトルデータに内在する、サンプルの基原や品質、活性などの情報を最大に抽出するため、主成分分析やＰＬＳ回帰分析などケモメトリックスを応用したデータ解析が広く用いられるようになっている。
【０００３】
しかしながら、これらは単に統計的な手法でデータ解析を行うことから、最終的な結果のクオリティーは、分析自体の精度とその直後の生データの前処理の精度に強く依存している。
【０００４】
とりわけ、クロマトグラムを利用してサンプルの質的、量的性質を解析する場合、生データの時間補正が特に重要であると考えられる。
【０００５】
現在、一般的な時間補正・ピークアラインメント法としては、図１に示すCorrelation Optimized Warping法（ＣＯＷ）、図２に示すParametric Time Warping法（ＰＴＷ）、図３に示すSemi-parametric Time Warping法（ＳＴＷ）などがあり、特にＬＣ−ＭＳデータなどスペクトルデータを伴うクロマトグラムデータの前処理には、Ｒを利用したＸＣＭＳなどが用いられている。
【発明の開示】
【発明が解決しようとする課題】
【０００６】
しかしながら、上述した方法はいずれも数学的に煩雑な計算を要するため、それらを理解して応用することは困難である。そのため、同一の化合物に由来するスペクトル同士を自動的かつ正確に対応付けるためには、複雑な処理と長時間を要する。
【課題を解決するための手段】
【０００７】
そこで、本発明は、同一の化合物に由来するピークを選定し、その保持時間を補正することによって行うクロマトグラムピークアラインメントのための簡便な時間補正法を提供することにある。
【０００８】
具体的には、本発明の情報処理装置は、同一の化合物に由来するピークを選定し、その保持時間を補正するピークアラインメントのための情報処理装置であって、ピーク毎に求めた保持時間の変動を高次関数で近似して、保持時間を補正することを特徴とする。
【発明の効果】
【０００９】
本発明によれば、数学的に煩雑な計算を行うことなく、専門的な計算機科学的技術を必要としない簡便な方法でクロマトグラムピークアラインメントを行うことができる。
【発明を実施するための最良の形態】
【００１０】
図４は、未補正のクロマトグラムを示す図、図５は補正後のクロマトグラムを示す図、図６は保持時間の変動を示す図、図７は補正式の作成例を示す図である。
【００１１】
図４は、産地の異なる同一の試料１〜８の保持時間（とスペクトル強度との関係を示しており、本来は同一の試料は同一の保持時間の画分に含まれるものであるが、各試料ごとにバラツキがある。このバラツキを示したのが図５であり、図４に示すピーク毎に求めた保持時間の平均値に対する変動を各試料毎にプロットしている。
【００１２】
図５に示す変動は、高次関数によって表現することが可能であり、３次関数補正式を作成して当てはめた結果が図７である。図７によれば、保持時間の実測値と保持時間の平均値とが一直線でかつ近似していることが分かる。
【図面の簡単な説明】
【００１３】
【図１】一般的な時間補正・ピークアラインメント法の例である。
【図２】一般的な時間補正・ピークアラインメント法の例である。
【図３】一般的な時間補正・ピークアラインメント法の例である。
【図４】未補正のクロマトグラムを示す図である。
【図５】補正後のクロマトグラムを示す図である。
【図６】保持時間の変動を示す図である。
【図７】補正式の作成例を示す図である。
【図１】
2010127803.tif 000003
【図２】
2010127803.tif 000004
【図３】
2010127803.tif 000005
【図４】
2010127803.tif 000006
【図５】
2010127803.tif 000007
【図６】
2010127803.tif 000008
【図７】
2010127803.tif 000009
(57)【要約】      （修正有）【課題】凶悪犯行等から人を防護するため犯人等の視界を封じ、その行動を阻止し双方の救護を可能にする防護遮光幕を提供する。【解決手段】犯人等の視界を封ずるため、薄くて強靭な遮光幕を素材として作成、犯人等の頭部、または、上半身或いは全身を被覆してその行動、活動を停止させる事ができることを特徴とする防護遮光幕である。動物等が行動するときに絶対必要な視覚による視界、視野の確保を封鎖しその犯行、行動等を阻止する事を可能にする。【選択図】図１
2010127608.tif 000002
【特許請求の範囲】
【請求項１】
薄くて頑丈な遮光幕を吹き流し状に作成し、先頭に円形、ループ状に開口する牽引部を設け取り付ける、本装置により犯人等の頭部、上半身等を覆い視覚を奪い、その行動、活動等を阻止する救護遮光幕。
【発明の詳細な説明】
【技術分野】
【０００１】  本発明は、凶悪犯行等から人を防護するため犯人等の視界を封じ、その行動を阻止し双方の救護を可能にする防護遮光幕に関するものである。
【背景技術】
【０００２】  従来、ネットを射出、または被せて取り押さえる方法等があった。（特許文献１参照）
【特許文献１】公開番号  特開平８−２１０８００
【発明の開示】
【発明が解決しようとする課題】
【０００３】  そのために、次のような問題点があった。
（イ）折角犯人を捕らえても凶器等を持って居たら、接近するのさえ大変危険であった。本発明は、これらの問題点を解決するためになされたものである。
【問題を解決するための手段】
【０００４】  犯人等の視界を封ずるため、薄くて強靭な遮光幕を素材として作成、犯人等の頭部、または、上半身或いは全身を被覆してその行動、活動を停止させる事ができることを特徴とする防護遮光幕である。
【発明の効果】
【０００５】  動物は目からの情報を得て行動し活動する、従って、その視界を遮断されたなら、行動し活動することは不可能になる。
【発明を実施するための最良の形態】
【０００６】以下、本発明の実施の形態について説明する。
１  身近の犯人の時
（イ）薄く強靭で弾力のある遮光幕で造った吹流し状幕（１）を設け、先端開口部のループ状に開いたワイヤー（２）板バネ（３）に装備する。
（ロ）板バネの取り付け軸（９）は伸縮可能な棒または筒状収納具（７）等にとりつける。ワイヤー、板バネより成るループ枠は捕獲後取っ手（８）を手前に引いて締め付け可能な構造とする、締め付けたワイヤーにはストッパー（図１符号９．１０．１１）をとりつける。
（ハ）遮光幕の内面には衣類等にへばりつき易くする為、多数の小突起を設ける（図８．９）。
（ニ）通常は収納具等に遮光幕を収納、携行する（図３）
２  少し離れた犯人の時
（イ）遮光幕で造った吹流し状幕（図４）（２）の先端開口部に頭部に弾性素材を付した複数個以上の拡散、牽引用の重石、ミニロケット等（１１）を取り付ける。
（ロ）遮光幕を射出するため、  安全射出銃（図６）を設ける、銃の先端は（図５）の如くで、射出時重石等はループ状に拡散、スパイラル進行させる。
（ハ）射出銃は重石（１１）を強力なバネ（１５）の作用により圧搾室（１６）の超高圧により高速にて発射される、重石は遮光幕を吹流し状に拡散進行し犯人等を捕らえる。
３  金融機関等での使用
（イ）（図１０．１１）の如く店舗の上部等に目立たぬように設置、  犯人等が現れたなら、遠隔操作により、遮光幕を拡散状態にて落下させ、全身を覆い捕捉する。
本発明を使用するときは、上記の装置の先端開口部（２）をほぼ円形、ループ状に拡散させた状態で犯人等の頭部、上半身等をすばやく捕捉、その視界、視野等を封鎖、その行動、活動を阻止させる。
【図面の簡単な説明】
【０００７】
【図１】  本発明の斜視図
【図２】  本発明の実施例を示す図
【図３】  収納具の内部側面図
【図４】  飛翔時の斜視図
【図５】  安全射出銃の射出口先端斜視図
【図６】  安全射出銃の内部構造図
【図７】  安全射出銃の先端構造図
【図８】  遮光幕内面の側面図
【図９】  遮光幕内面の斜視図
【図１０】  遮光幕落下時の斜視図
【図１１】  遮光幕落下、実施例を示す図
【符号の説明】
【０００８】  １  遮光幕
２  ワイヤー等によるループ状開口部
３  遮光幕後部開口部
４  拡張バネ
５  板バネ
６  筒状収納具
７  遮光幕取り付け具
８  取っ手
９  ストッパー１  （収納具入り口）
１０  ストッパー  （ジョイント部）
１１  ストッパー  （ジョイント部）
【図１】
2010127608.tif 000003
【図２】
2010127608.tif 000004
【図３】
2010127608.tif 000005
【図４】
2010127608.tif 000006
【図５】
2010127608.tif 000007
【図６】
2010127608.tif 000008
【図７】
2010127608.tif 000009
【図８】
2010127608.tif 000010
【図９】
2010127608.tif 000011
【図１０】
2010127608.tif 000012
【図１１】
2010127608.tif 000013
(57)【要約】【課題】従来の太陽集熱器は曲面の焦点に太陽熱を集めて行うので、太陽光の強さによっては、必要以上の熱を集熱させてしまう可能性があるため、火災を引き起こす原因となり、非常に危険を伴う。【解決手段】  椀状の太陽集熱器において、複数の平面反射板を備え、それらの平面反射板の反射光を概ね一箇所に集光する太陽集熱器である。又、平面反射板の配列を環状で、かつ複数列にした太陽集熱器である。又、調理器具台が前記集光領域にある太陽集熱器である。【選択図】図１
2010127609.tif 000002
【特許請求の範囲】
【請求項１】
椀状の太陽集熱器において、複数の平面反射板を備え、それらの平面反射板の反射光をある定められた領域に集光することを特徴とする太陽集熱器。
【請求項２】
平面反射板の配列を環状で、かつ複数列にしたことを特徴とする請求項１に記載の太陽集熱器。
【請求項３】
調理器具台が前記集光位置にあることを特徴とする請求項１に記載の太陽集熱器。
【発明の詳細な説明】
【技術分野】
【０００１】  本発明は太陽光を、反射板を利用して一箇所に集光させて調理器具を加熱したり、その他熱利用器具に利用される太陽集熱器に関する。
【背景技術】
【０００２】  従来技術として、複数の反射板を組み立てて太陽光を集める太陽集熱器が知られている。その多くは反射板に凹面鏡を使用したものであった。（例えば特許文献１参照）【０００３】
【特許文献１】特開２００５−１１４１９０号公報
【発明の開示】
【発明が解決しようとする課題】
【０００４】  しかし、凹面を使用した集熱には下記のような欠点がある。
つまり、曲面の焦点に太陽熱を集めて行うので、太陽光の強さによっては、必要以上の熱を集熱させてしまう可能性がある。
必要以上の集熱は火災を引き起こす原因となり、非常に危険を伴う。【０００５】  本発明は上記のような従来の欠点を解決しようとするものであり、太陽光の強さに関係なくある一定以上の温度にはならない安全な集熱器を提供しようとするものである。
【問題を解決するための手段】
【０００６】  椀状の太陽集熱器において、複数の平面反射板を備え、それらの平面反射板の反射光を概ね一箇所に集光する太陽集熱器である。
【０００７】又、平面反射板の配列を環状で、かつ複数列にした太陽集熱器である。
【０００８】又、調理器具台が前記集光領域にある太陽集熱器である。
【発明の効果】
【０００９】  本発明によれば、複数の焦点を持たない平面反射板の反射光の集点を概ね一箇所に集めて集光させたものであるため、晴天で真夏のような太陽光が非常に強い時でも、熱が一点に集まることがないので、発火するような高温にはならないので絶対に火災にはならないため、安全な太陽集熱器が提供できる。
【発明を実施するための最良の形態】
【００１０】  以下、本発明の実施形態について図面を参照して説明する。
図１〜３は本発明の一実施例を示す。【００１１】  椀状に成形された反射板台１を、周方向において３０°毎に等分分割し、さらに、椀状の中心から径方向において等分に３つの環状に分割する。そして分割された３６箇所に、それぞれの反射板の光（熱）が、ある定められた領域に集まるように平面の反射板２を固定する。反射板台１には中心部から淵に向かって長穴３が切られている。該長穴３には垂直な支柱４が貫通しており、反射板台１の淵を、その椀状の中心をとおり、前記長穴３と直角になるように横棒５が固定され、該横棒５の中心と前記支柱４の先端部が前記反射板２の集光領域Ｂに調理器具台６が固定され、その上に調理鍋７がセットされる。支柱４の他端は固定台８に固定されている。【００１２】  反射板台１は、長穴３の間を自由に動き、太陽の向きに応じて角度を変えられるようになっている。
図２は反射板台１のみを真上からみたもので、３６枚の平面の反射板２が整然と固定されている。
図３は第２図の断面図で、平面の反射板２は、反射光が全て集光領域Ｂに集まるように固定されている。【００１３】  この実施例は反射板２を３６枚にしたが、熱量の加減で、この枚数に限られるものではない。
【図面の簡単な説明】
【００１４】
【図１】本発明の反射板を使用した一実施例を示す太陽熱調理器の斜視図
【図２】本発明の反射板の一実施例を示す平面図
【図３】図２のＡ−Ａ断面図
【符号の説明】
【００１５】１  反射板台
２  反射板
３  長穴
４  支柱
５  横棒
６  調理器具台
７  調理鍋
８  固定台
【図１】
2010127609.tif 000003
【図２】
2010127609.tif 000004
【図３】
2010127609.tif 000005
(57)【要約】【課題】本発明は、電界吸収型光変調器の相互吸収飽和特性を用いた光信号モニタ装置において、サンプリング用光パルスの強度に対する相互吸収変調の発生効率を向上することを目的とする。【解決手段】本願発明の光信号モニタ装置は、サンプリング用光パルスＰｓを出射する光パルス発生器２と、サンプリング用光パルスＰｓと被測定光信号Ｐｘとの相互吸収飽和特性を利用して被測定光信号Ｐｘのサンプリングを行う電界吸収型光変調器３と、を備え、等価サンプリング方式で被測定光信号Ｐｘの波形評価を行う光信号モニタ装置であって、サンプリング用光パルスＰｓの波長が被測定光信号Ｐｘの波長よりも短波長であることを特徴とする。【選択図】図１
2010199996.tif 000002
【特許請求の範囲】
【請求項１】
サンプリング用光パルスを出射する光パルス発生器と、
前記サンプリング用光パルスと被測定光信号との相互吸収飽和特性を利用して前記被測定光信号のサンプリングを行う電界吸収型光変調器と、を備え、
等価サンプリング方式で前記被測定光信号の波形評価を行う光信号モニタ装置であって、
前記サンプリング用光パルスの波長が前記被測定光信号の波長よりも短波長であることを特徴とする光信号モニタ装置。
【発明の詳細な説明】
【技術分野】
【０００１】
本発明は、光信号モニタ装置に関し、特に、高分解能の等価サンプリングを行う光信号モニタ装置に関する。
【背景技術】
【０００２】
高分解能の等価サンプリングを行うために、電界吸収型光変調器の相互吸収飽和特性を用いた光信号モニタ装置が提案されている（例えば、特許文献１参照。）。
【０００３】
光信号モニタ装置は、一定周期のサンプリング用光パルスＰｓを発生する光パルス発生器と、被測定光信号Ｐｘとサンプリング用光パルスＰｓとの相互吸収飽和特性を利用して被測定光信号Ｐｘのサンプリングを行う電界吸収型光変調器と、電界吸収型光変調器に直流バイアス電圧を印加するバイアス電圧発生器と、電界吸収型光変調器から出射されたサンプリング後の被測定光信号Ｐｙを光電変換する受光器と、を有する。受光器からの被測定電気信号Ｐｚを観察することで、等価サンプリング方式で被測定光信号Ｐｘの波形評価を行う。
【先行技術文献】
【特許文献】
【０００４】
【特許文献１】国際公開２００８／０８７８０９
【発明の概要】
【発明が解決しようとする課題】
【０００５】
電界吸収型光変調器の光透過率は、長波長よりも短波長の方が低くなる。このため、サンプリング用光パルスの波長が短い方が、電界吸収型光変調器での吸収が大きく、被測定光信号のサンプリングに用いる相互吸収変調の効率が高くなる。
【０００６】
相互吸収変調の効率が悪い場合、大きな強度のサンプリング用光パルスを入力する必要があるため、光パルス発生器が高価で大型になるという問題が生じる。
【０００７】
そこで、本発明は、電界吸収型光変調器の相互吸収飽和特性を用いた光信号モニタ装置において、サンプリング用光パルスの強度に対する相互吸収変調の発生効率を向上することを目的とする。
【課題を解決するための手段】
【０００８】
上記目的を達成するために、本願発明の光信号モニタ装置は、電界吸収型光変調器の互吸収飽和特性を用いた光信号モニタ装置において、サンプリング用光パルスの波長が被測定光信号の波長よりも短波長であることを特徴とする。
【０００９】
具体的には、本願発明の光信号モニタ装置は、サンプリング用光パルスを出射する光パルス発生器と、前記サンプリング用光パルスと被測定光信号との相互吸収飽和特性を利用して前記被測定光信号のサンプリングを行う電界吸収型光変調器と、を備え、等価サンプリング方式で被測定光信号の波形評価を行う光信号モニタ装置であって、前記サンプリング用光パルスの波長が前記被測定光信号の波長よりも短波長であることを特徴とする。
【発明の効果】
【００１０】
本発明によれば、サンプリング用光パルスの波長が被測定光信号の波長よりも短波長であることで、サンプリング用光パルスの強度を小さくすることができる。これにより、光パルス発生器を簡略化し、安価な光信号モニタ装置を構成することができる。
【図面の簡単な説明】
【００１１】
【図１】実施形態に係る光信号モニタ装置の概略構成図である。
【図２】サンプリング用光パルスの波長に対する電界吸収型光変調器の光透過率の一例を示す。
【発明を実施するための形態】
【００１２】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１３】
図１は、本実施形態に係る光信号モニタ装置の概略構成図である。本発明の実施形態に係る光信号モニタ装置は、光パルス発生器２と、電界吸収型光変調器３と、バイアス電圧発生器４と、受光器５と、ＡＤ変換器６と、光カプラ７と、を備える。
【００１４】
光パルス発生器２は、サンプリング用光パルスＰｓを出射する。電界吸収型光変調器３に、被測定光信号Ｐｘが前方から、光パルス発生器２からのサンプリング用光パルスＰｓが後方から入射される。この状態で、バイアス電圧発生器４が電界吸収型光変調器３にバイアス電圧を印加する。これにより、電界吸収型光変調器３は、サンプリング用光パルスＰｓと被測定光信号Ｐｘとの相互吸収飽和特性を利用して被測定光信号Ｐｘのサンプリングを行うことができる。
【００１５】
サンプリングされた被測定光信号Ｐｙは、電界吸収型光変調器３の後方から出射され、受光器５に入射される。受光器５は、サンプリングされた被測定光信号Ｐｙを受光して光電変換し、被測定電気信号Ｐｚを出力する。ＡＤ変換器６は、被測定電気信号Ｐｚをデジタル信号に変換する。ＡＤ変換器６から出力されたデジタル信号の被測定電気信号Ｐｚを観察することで、等価サンプリング方式で被測定光信号Ｐｘの波形評価を行うことができる。
【００１６】
図２に、サンプリング用光パルスの波長に対する電界吸収型光変調器の光透過率の一例を示す。サンプリング用光パルスＰｓの波長が短くなるにしたがって、電界吸収型光変調器の光透過率３１は低くなる。ここで、電界吸収型光変調器の光透過率３１が低いとき、電界吸収型光変調器の相互吸収飽和の発生効率は向上する。このため、サンプリング用光パルスＰｓの波長を短くすることで、電界吸収型光変調器の相互吸収飽和の発生効率を向上することができる。例えば、被測定光信号の波長が１５５０ｎｍの場合、サンプリング用光パルスＰｓの波長を１５３０ｎｍにする。したがって、サンプリング用光パルスＰｓの強度を小さくすることができる。
【産業上の利用可能性】
【００１７】
本発明は、高分解能の光サンプリングを行うことができるので、情報通信産業及び光を用いる各種産業に適用することができる。
【符号の説明】
【００１８】
２：光パルス発生器
３：電界吸収型光変調器
４：バイアス電圧発生器
５：受光器
６：ＡＤ変換器
７：光カプラ
【図１】
2010199996.tif 000003
【図２】
2010199996.tif 000004
(57)【要約】【課題】多数重ねた新聞紙や雑誌類を、紐で十字に縛る時に、一度重ねた新聞紙や雑誌類の底を持ち上げて、新聞紙や雑誌類の底に紐をくぐらせてから縛っていた。本発明は、多数重ねた新聞紙・雑誌類の底を持ち上げてないで、新聞紙・雑誌類を、紐で十字に縛る事ができることを提供する。【解決手段】長方形のプレート部の四隅に、紐をセットする立方体部を設け、立方体部と立方体部の間に紐を通す空間部を設ける。【選択図】図１
2010076838.tif 000002
【特許請求の範囲】
【請求項１】
長方形のプレート部の四隅に紐をセットする立方体部を設け、立方体部と立方体部の間に紐を通す空間部を設けた新聞紙・雑誌等紐十字縛り台。
【発明の詳細な説明】
【技術分野】
【０００１】  本発明は、多数重ねた新聞紙や雑誌類を紐で十字に縛る時に、新聞紙や雑誌類の底を持ち上げないで紐で十字に縛る事が出来る新聞紙・雑誌等紐十字縛り台に関するものである。
【背景技術】
【０００２】  従来、多数重ねた新聞紙や雑誌類を紐で十字に縛る時に、一度重ねた新聞紙や雑誌類の底を持ち上げて、紐を新聞紙や雑誌類の底をくぐらせて十字に縛っていた。
【発明の開示】
【発明が解決しようとする課題】
【０００３】  多数重ねた新聞紙や雑誌類を紐で十字に縛る時に、一度重ねた新聞紙や雑誌類の底を持ち上げて紐をくぐらさなければならなかった。
本発明は、以上の問題点を解決するものである。
【課題を解決するための手段】
【０００４】  長方形のプレート部の四隅に、紐をセットする立方体部を設け、立方体部と立方体部の間に紐を通す空間部を設ける。以上の構成によりなる新聞紙・雑誌等紐十字縛り台。
【発明の効果】
【０００５】  従来、多数重ねた新聞紙や雑誌類を紐で十字に縛る時に、一度重ねた新聞紙や雑誌類の底を持ち上げて、紐を重ねた新聞紙や雑誌類の底にくぐらせてから紐を十字に結んでいたのを、本発明により重ねた新聞紙や雑誌類の底を持ち上げなくても紐で十字に縛る事ができる。
【発明を実施するための最良の形態】
【０００６】  以下、本発明の実施の形態を説明する。
（イ）新聞紙・雑誌類を載せる長方形のプレート部（１）を設ける。
（ロ）プレート部（１）の四隅に立方体部（２）を設ける。
（ハ）プレート部（１）の中央には縦と横方向に横断し交わる空間部（３）が設けてあり空間部（３）に紐（４）を通すことが出来る。
本発明は以上のような構造である。
本発明を使用する時は、立方体部（２）の一箇所に新聞紙・雑誌類を縛る紐（４）をループ状にセットし、その前後の紐（４）は立方体部（２）の間に十の字に這わせる。この状態で、本発明物の上に、重ねた新聞紙・雑誌類を置く。
紐（４）のループ状部を新聞紙・雑誌類の上面まで引き上げ、紐（４）の他方を引き上げたループ状の紐（４）にくぐらせて十字に縛る。
【図面の簡単な説明】
【０００７】
【図１】本発明の斜視図
【図２】本発明の使用状態を示す斜視図（１）
【図３】本発明の使用状態を示す斜視図（２）
【符号の説明】
【０００８】（１）プレート部、（２）立方体部、（３）空間部、（４）紐
【図１】
2010076838.tif 000003
【図２】
2010076838.tif 000004
【図３】
2010076838.tif 000005
(57)【要約】【課題】  魚肉ソーセージを、簡単にむける魚肉ソーセージむき器を、提供する。【解決手段】  板に穴を設け、穴に差し込み口を設け、差し込み口から続く直線状の切断面を設け、その切断面の両側に刃を設けたことを、特徴とする魚肉ソーセージむき器。【選択図】図１
2010076837.tif 000002
【特許請求の範囲】
【請求項１】
板に穴を設け、穴に差し込み口を設け、差し込み口から続く直線状の切断面を設け、その切断面の両側に刃を設けた魚肉ソーセージむき器。
【発明の詳細な説明】
【技術分野】
【０００１】  本発明は、魚肉ソーセージを、むく器具に関するものである。
【背景技術】
【０００２】  従来、魚肉ソーセージをむく際、ハサミや包丁で、魚肉ソーセージの止め金と、魚肉ソーセージ本体の隙間を、魚肉ソーセージのリボンを残して切り、魚肉ソーセージのリボンを引いて取り除き、魚肉ソーセージをむいていた。
【発明の開示】
【発明が解決しようとする課題】
【０００３】  そのために、次のような問題点があった。
魚肉ソーセージをむく為、魚肉ソーセージの止め金と、魚肉ソーセージ本体の隙間を、魚肉ソーセージのリボンを残して切る必要があったが、ハサミや包丁では、切りすぎてしまい魚肉ソーセージのリボンまで切り、簡単に魚肉ソーセージをむくことが、できなかった。
本発明は、以上の問題点を解決するために、なされたものである。
【課題を解決するための手段】
【０００４】  板に穴を設け、穴に差し込み口を設け、差し込み口から続く直線状の切断面を設け、その切断面の両側に刃を設けた。
以上の構成からなる魚肉ソーセージむき器である。
【発明の効果】
【０００５】  従来、簡単ではなかった魚肉ソーセージをむく事を、簡単、安全、そして失敗せずにむく事を可能にした。
【発明を実施するための最良の形態】
【０００６】  以下、本発明の実施形態を説明する。
（イ）板（１）の中央に穴（２）を設ける。
（ロ）穴（２）に差し込み口（３）を設ける。
（ハ）差し込み口（３）から続く直線状の切断面（４）を設ける。
（ニ）直線状の切断面（４）の両側には刃（５）を設ける。
本発明は、以上のような構造である。
本発明を使用するときは、穴（２）に魚肉ソーセージの端を入れ、差し込み口（３）に、魚肉ソーセージの止め金（６）と、魚肉ソーセージ本体（８）の隙間の、魚肉ソーセージのリボン（７）の反対側を差し込んだ後、直線状の切断面（４）まで押し込みます。
魚肉ソーセージのリボン（７）側に勢いよく、板（１）を倒すと、魚肉ソーセージは、魚肉ソーセージのリボン（７）を残し、魚肉ソーセージの止め金（６）と、魚肉ソーセージ本体（８）の隙間が、刃（５）で切断されます。
そのまま板（１）で、魚肉ソーセージのリボン（７）を引っ張り、魚肉ソーセージをむく事ができます。
【図面の簡単な説明】
【０００７】
【図１】  本発明の斜視図
【図２】  本発明の穴に魚肉ソーセージの端を入れた図
【図３】  本発明の差し込み口に魚肉ソーセージの止め金と魚肉ソーセージ本体の隙間を差し込んだ図
【図４】  本発明を魚肉ソーセージのリボン側に勢いよく倒した図
【図５】  本発明で魚肉ソーセージのリボンを引っ張った図
【符号の説明】
【０００８】  （１）板
（２）穴
（３）差し込み口
（４）直線状の切断面
（５）刃
（６）魚肉ソーセージの止め金
（７）魚肉ソーセージのリボン
（８）魚肉ソーセージ本体
【図１】
2010076837.tif 000003
【図２】
2010076837.tif 000004
【図３】
2010076837.tif 000005
【図４】
2010076837.tif 000006
【図５】
2010076837.tif 000007
(57)【要約】【課題】自動車の制動時、カーブ走行時、横風を受けているなどの、車体が走行面に対し傾き、搭乗者及び走行への危険性が増す状態を、軽減もしくはなくすようにする。【解決手段】重力感知装置により、車体が走行面に対し傾きを持った際に、反対の角度を促すように、もしくは傾きを軽減するようにバンパの減衰圧を自動調節するようにした。【特許請求の範囲】
【請求項１】
車体に前後左右の重力が加わり、路面に対する水平角度に傾きが発生した際に、その重力を感知しダンパ（ショックアブソーバー）の加減圧を調節。反対角を与えることで、車体の加重バランスを整えることを特徴とした、重力感知による車体角度制御システム。
【請求項２】
予め定まったルートを走行する場合に、車体に掛かる重力を計測・分析し、車体の路面に対する水平角を保つような走行を促す機能を特徴とした、請求項１記載の重力感知による車体角度制御システム。
【発明の詳細な説明】
【技術分野】
【０００１】本発明は、重力制御によるダンパ操作を利用して車体の角度を最適化するシステムに関するものである。
【背景分野】
【０００２】従来、重力観測機を利用しての車体への走行最適化を施す装置に関する製品はなかった。
【発明の開示】
【発明が解決しようとする課題】
【０００３】自動車の制動時、慣性の法則により直進車の車体は前のめりとなり、搭乗者も同様であり、急ブレーキ時には大きな衝撃を受けていた。また前輪は路面に対し強く密接し、後輪の密接力は弱いため、その状態でハンドルを切った場合にスピンを起こしやすい状態にあった。
自動車のカーブ走行時には遠心力が掛かり、走行車線のはみ出しの危険性や横転の危険性があった。本発明は、これらの課題を解消する為になされたものである。
【課題を解決するための手段】
【０００４】車内に設置された重力感知装置により、慣性の法則や遠心力によって走行面と水平を保てなくなった車体を、バンパの減衰圧を利用して角度の軽減を行ったり、水平面に対し反対の角度となるようにして力を相殺し、水平に戻すように働きかけることを特徴とする。
【発明の効果】
【０００５】重力制御により自動車の車体を水平に保つことで、直進制動時の搭乗者に掛かる衝撃を軽減し、制動後のカーブ進入時のスピンの発生率も軽減することが出来る。
また、カーブ走行中や横風などを車体が受けた際に、車体の走行面に対する傾きとは逆の傾きを与えることにより、反対車線への進入や横転の危険性を軽減することが出来る。
【発明を実施するための最良の形態】
【０００６】重力感知部位を自動車の車体の中心に据え、ダンパを制御する機器を運転席から手の届く位置に設置することで、正確な重力制御を行いつつも、使用しない場合には装置を切ることができる。
また制御機器はフラッシュメモリーカードの差し替え型とすることにより、日常走行やレース走行など、走行の用途に応じたダンパ調節を行うことができる。
(57)【要約】      （修正有）【課題】二輪車が一時停止する際、足を地面に着いて車体を安定させる必要をなくすため、手動又は自動でスタンドを地面に着かせて車体を安定させる。【解決手段】手動法ではハンドルレバ−２、３を握って前輪ブレ−キをかけながらワイヤ−６、７でスタンドを引張り、地面に立てて車体を安定させる。一方、自動法ではスピ−ドメ−タ−の０（Ｋｍ／Ｈ）近くにスイッチを設け、一時停止のため、スピ−ドメ−タ−の指針が０に近づいてスイッチに触れた瞬間にバッテリ−の電源がＯＮになり、スタンド１０、１１に付設したモ−タ−９、９’が回転してスタンド１０、１１を地面に立て、次に発進してスピ−ドメ−タ−指針がスイッチに触れた瞬間に電源がＯＦＦになり、スタンド１０、１１がスプリング１２、１２’に引張られてリタ−ンする。【選択図】図１
2010076733.tif 000002
【特許請求の範囲】
【請求項１】
二輪車が一時停止する際、手動又は自動的に地面に立てる二輪車の一時停止用スタンド
【発明の詳細な説明】
【０００１】  本発明は、自転車、原動機自転車、自動二輪車などの二輪車が一時停車する際、手動又は自動的にスタンドを立てて車体を安定させる二輪車の技術分野である。
【０００２】  自転車や自動二輪車で走行中、赤信号による停止、緊急時の停止、渋滞による停止など頻繁に一時停止しなければならないが、その都度、片足又は両足を地面に着いて重たい車体を倒れないように安定させなければならない。このような動作は、高齢者や病人の場合、暴風雨、吹雪、酷寒、猛暑などの自然環境下では、苦難の連続である。特に女性の場合、ドレスや和服を着て両足を広げているのは、余り体裁の良いものでは無い。
【０００３】  このように二輪車が一時停止する際には頻繁に足を地面に着いて車体を安定させているが、本発明では、手動又は自動でスタンドを地面に立てて車体を安定させるものであり、その作動について図１と図２に示した。先ず手動による方法では、前輪ブレ−キ兼用の２のレベルと３のレベルを握ると、６と７のワイヤ−を介して１０と１１のスタンドを引張って地面に立てて車体を安定させる。この場合、右と左のスタンドが別々に離れているので、右と左の地面に多少の高低差があっても、車体は傾くことは無い。次に自動による作動方法を図２で説明すると、４のスピ−ドメ−タ−の０（Ｋｍ／Ｈ）近くにＯＮ、ＯＦＦするスイッチ４−１を設け、一時停止によってスピ−ドメ−タ−の針４−２が４−１のスイッチに触れると、バッテリ−１（図１）の電源がＯＮになり、９と９′の電動モ−タ−が回転し、８と８′のベアリングを介してスタンド１０と１１を接地させるものである。この一時停止から発車によってスピ−ドメ−タ−の針４−２がスイッチ４−１を通過すると同時に電源が切れて、スプリング１２と１２′に引張られてスタンドは元の位置に戻る仕組になっている。
【０００４】  本発明では、自転車、原動機付自転車、自動二輪車などの二輪車が一時停止する際頻繁に地面に足を着いて車体を安定させる必要が無く、四輪車と同様に足をステップに乗せたまま一時停止しながら走行できるメリットがある。
【図面の簡単な説明】
【図１】上段：自動二輪車の側面図とスタンドの作動図．中段：自動二輪車の平面図とスタンドの作動図．下段：自動二輪車の正面図とスタンドの作動図．
【図２】上段：スタンドの平面作動図（手動，自動）．下段：スタンドの側面図．
【符号の説明】
１．            バッテリ−．
２．            右側ハンドル・スタンドレバ−兼前輪ブレ−キレバ−．
３．            左側ハンドル・スタンドレバ−．
４．            スピ−ドメ−タ−．
５．            前輪ブレ−キ・ワイヤ−．
６．            右側ハンドル・スタンドレバ−・ワイヤ−．
７．            左側ハンドル・スタンドレバ−・ワイヤ−．
８．            左側スタンド・ステップ・ベアリング．
８′．          右側スタンド・ステップ・ベアリング．
９．            左側スタンド・ステップ・モ−タ−．
９′．          右側スタンド・ステップ・モ−タ−．
１０．          スタンド車輪（左側ＧＬ）．
１１．          スタンド車輪（右側ＧＬ）．
１２．          スタンド・リタ−ン・スップリング．
〔符号の説明〕
２．            右ハンドル・スタンドレバ−．
３．            左ハンドル・スタンドレバ−
４．            スピ−ドメ−タ−．
４−１．        ＯＮ・ＯＦＦスイッチ．
４−２．        スイッチＯＮ・ＯＦＦ指針．
６．            右側ハンドル・スタンド・レバ−・ワイヤ−．
７．            左側ハンドル・スタンド・レバ−・ワイヤ−．
８，８′．      右左スタンド・ステップ・ベアリング．
９，９′．      右左スタンド・ステップ・モ−タ−．
１０，１１．    左右スタンド車輪．
１２，１２′．  左右スタンド・リタ−ン・スップリング．
Ｇ，Ｌ．        左右車輪の地面．
【図１】
2010076733.tif 000003
【図２】
2010076733.tif 000004